(57)【要約】【課題】プリントサービスシステムを利用した抽選実施番号付きのコンテンツ画像を印刷するための新たな技術の提案。【解決手段】所望のコンテンツ画像の画像識別情報を含む印刷依頼情報が、ユーザ端末２５００からサーバシステム１１００へ送信されると（１）、サーバシステム１１００は抽選実施番号を発行するとともに（２）、画像識別情報に対応するコンテンツ画像を高画質画像ＤＢ１５６０から読み出し、発行した抽選実施番号を付記した入稿画像データを生成する（３）。入稿画像データはプリントサービスシステム４に入稿され（４）、プリントサービスシステム４からは印刷指示番号が送られる（５）。印刷指示番号はユーザ端末２５００に転送される（６）。ユーザ２はプリントサービスシステム４に印刷指示番号を入力することで（７）、入稿画像が印刷された印刷物を入手することができる（８）。ユーザ２は印刷物に印刷された抽選実施番号を会員サイト７で入力して、抽選を楽しむことができる（９）。【選択図】図３
2017016563.tif 000002
【特許請求の範囲】
【請求項１】
所与の入稿画像データに対して印刷指示番号を付与し、当該印刷指示番号を含む印刷の指示入力に応じて当該入稿画像データに基づくコンテンツ画像を印刷するプリントサービスシステム、及び、ユーザ端末と通信可能なサーバシステムであって、
前記ユーザ端末から、所与の画像識別情報を少なくとも含む印刷依頼情報を受信する印刷依頼情報受信手段と、
前記画像識別情報に対応するコンテンツ画像を記憶する記憶部から、前記印刷依頼情報に含まれる前記画像識別情報に対応するコンテンツ画像を読み出す画像読出手段と、
前記印刷依頼情報に応じて、所定の抽選システムで抽選を実施することができるユニークな番号である抽選実施番号を発行する番号発行手段と、
前記画像読出手段により読み出されたコンテンツ画像と、前記番号発行手段により発行された抽選実施番号とを含む入稿画像データを生成する入稿画像データ生成手段と、
前記入稿画像データ生成手段により生成された入稿画像データを前記プリントサービスシステムに送信し、当該入稿画像データに対して付与された印刷指示番号を前記プリントサービスシステムから受信する印刷発注手段と、
前記印刷発注手段により受信された印刷指示番号を、前記印刷依頼情報の送信元の前記ユーザ端末に送信する印刷指示番号送信手段と、
を備えたサーバシステム。
【請求項２】
前記プリントサービスシステムは、印刷指示番号毎に、対応する入稿画像データに基づく画像印刷が済んでいるか否かの印刷状況を管理しており、
前記印刷発注手段により受信された印刷指示番号に係る画像印刷の印刷状況を前記プリントサービスシステムに問合せる印刷状況問合せ手段、
を更に備えた請求項１に記載のサーバシステム。
【請求項３】
前記印刷状況問合せ手段による問合せの結果、未印刷の場合に、前記印刷依頼情報の送信元の前記ユーザ端末に未印刷である旨を通知する未印刷通知手段を更に備えた請求項２に記載のサーバシステム。
【請求項４】
前記プリントサービスシステムは、所与の印刷実行待機期間の間に印刷の指示入力がなされない入稿画像データを削除するシステムであり
前記未印刷通知手段は、前記印刷実行待機期間の期限を併せて通知する、
請求項３に記載のサーバシステム。
【請求項５】
前記プリントサービスシステムで印刷完了したコンテンツ画像の数又は組み合わせが所与の特典を付与する条件を満たすか否かを判定し、満たす場合に特典付与処理を実行する特典付与処理手段、
を更に備えた請求項２〜４の何れか一項に記載のサーバシステム。
【請求項６】
前記特典付与処理手段は、前記ユーザ端末で所与の特別画像に係る印刷依頼を可能とさせる処理を実行する、
請求項５に記載のサーバシステム。
【請求項７】
前記印刷依頼情報受信手段は、前記画像識別情報の他に、前記ユーザ端末で入力された重畳画像の情報を少なくとも含む編集情報を前記印刷依頼情報に含めて受信し、
前記入稿画像データ生成手段は、前記画像読出手段により読み出されたコンテンツ画像に、前記印刷依頼情報に含まれる前記編集情報に基づいて前記重畳画像を重ねた画像と、前記抽選実施番号とを含む前記入稿画像データを生成する、
請求項１〜６の何れか一項に記載のサーバシステム。
【請求項８】
前記ユーザ端末は、前記画像識別情報に対応するコンテンツ画像として、視認可能な所与のマーク乃至所与のテキストでなる視認可能情報が混入されている画像を表示するように構成され、
前記記憶部は、前記画像識別情報に対応するコンテンツ画像として、前記視認可能情報が混入されていない画像を記憶している、
請求項１〜７の何れか一項に記載のサーバシステム。
【請求項９】
請求項１〜８の何れか一項に記載のサーバシステムと通信可能な前記ユーザ端末であるコンピュータを、
前記印刷依頼情報を前記サーバシステムに送信する印刷依頼情報送信制御手段、
前記印刷依頼情報に対する前記プリントサービスシステムでの印刷指示番号を前記サーバシステムから受信する印刷指示番号受信手段、
として機能させるためのプログラム。
【発明の詳細な説明】
【技術分野】
【０００１】
本発明は、画像印刷に係るシステムに関する。
【背景技術】
【０００２】
コンビニエンスストアやプリントショップ等に設置された印刷装置（マルチコピー機や画像形成装置などとも呼ばれる）を用いたプリントサービスシステムが知られている（例えば、特許文献１の画像形成システムを参照）。このプリントサービスシステムを利用することで、ユーザは、ユーザ端末から送信した画像を、所望の場所に設置された印刷装置で印刷させることができた。
【０００３】
また、非特許文献１には、上述のプリントサービスシステムを用いた、アイドルやアニメキャラクター等のコンテンツ画像を有料で印刷するサービスが記載されている。当該サービスを利用することで、ユーザは所望のコンテンツ画像が印刷された印刷物を取得することができる。印刷物には、更にコンテンツ画像に対応付けられたモバイルくじ番号と呼ばれる抽選を実施するための番号（抽選実施番号）が印刷されており、ユーザは、この抽選実施番号を所定のくじサイトで入力することで、くじを引く抽選を楽しむことができた。
【先行技術文献】
【特許文献】
【０００４】
【特許文献１】特開２００７−８７０７６号公報
【非特許文献】
【０００５】
【非特許文献１】“プリントキャラマイド”、[online]、株式会社バンプレスト、インターネット（URL:http://1kuji.bpnavi.jp/corner/251）
【発明の概要】
【発明が解決しようとする課題】
【０００６】
しかしながら、非特許文献１に記載された従来のサービスは、コンテンツ画像と抽選実施番号とが固定された印刷画像となっており、同じコンテンツ画像の印刷物には同じ抽選実施番号が印刷されていた。そのため、抽選を実施するサイトでは、抽選実施番号の他に、ユーザを特定する情報を組み合わせて管理することで、くじが引かれたか否か（抽選を実施したか否か）を管理する仕組みが導入されていた。その影響で、ユーザは、相当の対価を払って同じコンテンツ画像の印刷物を複数枚購入した（印刷した）としても、印刷物に印刷された抽選実施番号が同一であり、ユーザ自身のＩＤも当然に同一であるため、当該ユーザがくじを引ける回数は１回のみであった。また、くじが引かれた後に、対価を払っていない別のユーザが同じ抽選実施番号を利用してくじを引くといった悪用のおそれがあった。
【０００７】
そこで、プリントサービスシステムを利用した抽選実施番号付きのコンテンツ画像の印刷において、上述した課題を解決するための新たな技術が求められていた。特に、プリントサービスシステムを運営する事業者と、そのプリントサービスシステムを利用してコンテンツ画像を販売する事業者とは、別々にシステムを管理・運用している。このため、プリントサービスシステム側の改変を不要として上述の課題を解決するための新たな技術を実現できれば更に好適である。
【課題を解決するための手段】
【０００８】
上述した課題を解決するための第１の発明は、
所与の入稿画像データに対して印刷指示番号を付与し、当該印刷指示番号を含む印刷の指示入力に応じて当該入稿画像データに基づく画像を印刷するプリントサービスシステム（例えば、図１のプリントサービスシステム４）、及び、ユーザ端末（例えば、図１のユーザ端末２５００）と通信可能なサーバシステム（例えば、図１のサーバシステム１１００）であって、
前記ユーザ端末から、所与の画像識別情報（例えば、図８の画像識別情報２６４１、図７の画像識別情報１５３６）を少なくとも含む印刷依頼情報（例えば、図８の印刷依頼情報２６４０、図７の印刷依頼情報１５３５）を受信する印刷依頼情報受信手段（例えば、図６のサーバ処理部１２００、印刷依頼情報受信部１２０３）と、
前記画像識別情報に対応するコンテンツ画像を記憶する記憶部（例えば、図７のサーバ記憶部１５００、依頼データ１５３０）から、前記印刷依頼情報に含まれる前記画像識別情報に対応するコンテンツ画像を読み出す画像読出手段（例えば、図６のサーバ処理部１２００、画像読出部１２０５）と、
前記印刷依頼情報に応じて、所定の抽選システム（例えば、図１，３の会員サイト４）で抽選を実施することができるユニークな番号である抽選実施番号（例えば、図７の抽選実施番号１５４８）を発行する番号発行手段（例えば、図６のサーバ処理部１２００、抽選実施番号発行部１２０７）と、
前記画像読出手段により読み出されたコンテンツ画像と、前記番号発行手段により発行された抽選実施番号とを含む入稿画像データを生成する入稿画像データ生成手段（例えば、図６のサーバ処理部１２００、入稿画像データ生成部１２０９）と、
前記入稿画像データ生成手段により生成された入稿画像データを前記プリントサービスシステムに送信し、当該入稿画像データに対して付与された印刷指示番号（例えば、図７の印刷指示番号１５４７）を前記プリントサービスシステムから受信する印刷発注手段（例えば、図６のサーバ処理部１２００、発注管理部１２２１）と、
前記印刷発注手段により受信された印刷指示番号を、前記印刷依頼情報の送信元の前記ユーザ端末に送信する印刷指示番号送信手段（例えば、図６のサーバ処理部１２００、発注管理部１２２１、印刷指示番号通知部１２２７）と、
を備えたサーバシステムである。
【０００９】
この第１の発明によれば、印刷依頼に係る画像にユニークな抽選実施番号を付与し、当該抽選実施番号を含んだ画像を、プリントサービスシステムに入稿して印刷させることができる。ユーザから見れば、ユーザ端末を用いて画像印刷を依頼すると、実際にプリントサービスシステムでの印刷を実行するための印刷指示番号を入手することができるため、この印刷指示番号をプリントサービスシステムに入力することで依頼した画像が印刷された印刷物を入手することができる。従って、ユーザにとっては従来と同じ手順で印刷物を入手することができるため、簡単な手順で本発明を実現できる。また、印刷物にはユニークな抽選実施番号が印刷されている。これにより、ユーザは、同一のコンテンツ画像を複数枚印刷依頼した場合であっても、印刷物毎に、異なるユニークな抽選実施番号を取得することができ、各印刷物に応じた抽選を楽しむことができる。また、実際にプリントサービスシステムに印刷指示番号を入力して印刷させるまでは、抽選実施番号は公開されず、しかもその番号はユニークであるため、使用済み（抽選実施済み）の番号か否かを簡単に管理することができる。従って、悪用されるおそれも無い。
【００１０】
また、プリントサービスシステムは、所与の入稿画像データに対して印刷指示番号を付与し、当該印刷指示番号を含む印刷の指示入力に応じて当該入稿画像データに基づく画像を印刷するシステムであるため、当該技術を採用している公知のプリントサービスシステムであれば、改変することなくそのまま利用することができる。
【００１１】
また、第２の発明は、
前記プリントサービスシステムが、印刷指示番号毎に、対応する入稿画像データに基づく画像印刷が済んでいるか否かの印刷状況を管理しており、
前記印刷発注手段により受信された印刷指示番号に係る画像印刷の印刷状況を前記プリントサービスシステムに問合せる印刷状況問合せ手段（例えば、図６のサーバ処理部１２００、発注管理部１２２１、印刷状況問合せ部１２２８）、
を更に備えた第１の発明のサーバシステムである。
【００１２】
この第２の発明によれば、印刷指示番号に基づいて、プリントサービスシステムでの印刷状況を把握することが可能となる。そのため、ユーザ端末から受信した印刷依頼情報に対して、印刷状況や過去の印刷履歴に応じたきめ細かいサービスを提供することが可能となる。
【００１３】
例えば、第３の発明として、
前記印刷状況問合せ手段による問合せの結果、未印刷の場合に、前記印刷依頼情報の送信元の前記ユーザ端末に未印刷である旨を通知する未印刷通知手段（例えば、図６のサーバ処理部１２００、発注管理部１２２１、印刷状況通知部１２２９）、
を更に備えた第２の発明のサーバシステムを構成することができる。
【００１４】
この第３の発明によれば、ユーザからの依頼に応じてサーバシステムがプリントサービスシステムに印刷の発注をしたものの、未印刷である場合に、その旨をユーザに知らせることが可能となる。
【００１５】
また更に、第４の発明として、
前記プリントサービスシステムが、所与の印刷実行待機期間の間に印刷の指示入力がなされない入稿画像データを削除するシステムであり
前記未印刷通知手段が、前記印刷実行待機期間の期限を併せて通知する（例えば、図６のサーバ処理部１２００、発注管理部１２２１、印刷状況通知部１２２９）、
第３の発明のサーバシステムを構成することとしてもよい。
【００１６】
この第４の発明によれば、プリントサービスシステムにおいて未印刷の発注が無限に蓄積されるのを防止することができる。また、ユーザに未印刷であることを知らせる際に、印刷実行待機期間の期限を併せて知らせることができるため、期限までのプリントサービスシステムでの印刷実行を促すことができる。
【００１７】
また、例えば、第５の発明として、
前記プリントサービスシステムで印刷完了したコンテンツ画像の数又は組み合わせが所与の特典を付与する条件を満たすか否かを判定し、満たす場合に特典付与処理を実行する特典付与処理手段（例えば、図６のサーバ処理部１２００、特典付与処理制御部１２３３）、
を更に備えた第２〜第４の何れかの発明のサーバシステムを構成してもよい。
【００１８】
この第５の発明によれば、プリントサービスシステムで印刷完了したコンテンツ画像の数又は組み合わせが所与の特典を付与する条件を満たす場合に、特典付与処理を実行することができる。
【００１９】
より具体的には、例えば、第６の発明として、
前記特典付与処理手段が、前記ユーザ端末で所与の特別画像に係る印刷依頼を可能とさせる処理を実行する、
第５の発明のサーバシステムを構成することができる。
【００２０】
この第６の発明によれば、ユーザ端末で所与の特別画像に係る印刷依頼を可能とすることを特典として付与することが可能となる。
【００２１】
また、第７の発明は、
前記印刷依頼情報受信手段が、前記画像識別情報の他に、前記ユーザ端末で入力された重畳画像の情報を少なくとも含む編集情報を前記印刷依頼情報に含めて受信し、
前記入稿画像データ生成手段が、前記画像読出手段により読み出されたコンテンツ画像に、前記印刷依頼情報に含まれる前記編集情報に基づいて前記重畳画像を重ねた画像と、前記抽選実施番号とを含む前記入稿画像データを生成する、
第１〜第６の何れかの発明のサーバシステムである。
【００２２】
この第７の発明によれば、ユーザ端末から重畳画像の情報を少なくとも含む編集情報を受信し、ユーザが印刷を希望するコンテンツ画像に当該重畳画像を重ねた画像を入稿画像とすることができる。従って、例えば、ユーザ端末において操作入力された「落書き」や「スタンプ」等の編集を反映した画像をプリントサービスシステムで印刷させることができる。
【００２３】
また、第８の発明は、
前記ユーザ端末は、前記画像識別情報に対応するコンテンツ画像として、視認可能な所与のマーク乃至所与のテキストでなる視認可能情報が混入されている画像を表示するように構成され、
前記記憶部は、前記画像識別情報に対応する画像として、前記視認可能情報が混入されていない画像を記憶している、
第１〜第７の何れかの発明のサーバシステムである。
【００２４】
この第８の発明によれば、ユーザ端末において画像識別情報に対応するコンテンツ画像を表示することができるが、その表示される画像は、所与のマーク乃至所与のテキストでなる視認可能情報が混入された状態で表示される。勿論、記憶部に記憶されているコンテンツ画像には、視認可能情報が混入されていない。すなわち、プリントサービスシステムでの印刷画像を高付加価値な画像とすることができる。
【００２５】
また、第９の発明は、
第１〜第８の何れかの発明のサーバシステムと通信可能な前記ユーザ端末であるコンピュータを、
前記印刷依頼情報を前記サーバシステムに送信する印刷依頼情報送信制御手段（例えば、図８の端末処理部２２００、画像印刷依頼処理部２２１０）、
前記印刷依頼情報に対する前記プリントサービスシステムでの印刷指示番号を前記サーバシステムから受信する印刷指示番号受信手段（例えば、図８の端末処理部２２００、画像印刷依頼処理部２２１０）、
として機能させるためのプログラムである。
【００２６】
この第９の発明によれば、上述したサーバシステムと通信し、上述した作用効果を発揮するためのユーザ端末を構成するためのプログラムを実現できる。
【図面の簡単な説明】
【００２７】
【図１】全体システムの概要を説明するための図。
【図２】ユーザ端末の稿整理を説明するための正面外観図。
【図３】全体システムの基本的な仕組みを説明するための図。
【図４】コンテンツ画像および印刷物の一例を示す図。
【図５】コンテンツ画像とその編集および印刷物の一例を示す図。
【図６】サーバシステムの機能構成例を示す図。
【図７】サーバシステムのサーバ記憶部の構成例を示す図。
【図８】ユーザ端末の機能構成例を示す図。
【図９】ユーザ端末で実行される処理の流れを説明するためのフローチャート。
【図１０】サーバシステムで実行される処理の流れを説明するためのフローチャート。
【発明を実施するための形態】
【００２８】
以下、本発明を適用した一実施形態の例を説明するが、本発明を適用可能な形態は以下の実施形態に限られるものではない。
【００２９】
［概要］
図１は、本実施形態の全体システム１の概要を示す図である。全体システム１は、サーバシステム１１００と、ユーザ端末２５００と、プリントサービスシステム４と、会員サイト７とが互いに通信網９を介して通信可能に構成されている。
【００３０】
通信網９は、データ通信が可能な通信路を意味する。すなわち、通信網９とは、直接接続のための専用線（専用ケーブル）やイーサネット（登録商標）等によるＬＡＮ（Local Area Network）の他、電話通信網やケーブル網、インターネット等の通信網を含む意味であり、また、通信方法については有線／無線を問わない。また、通信網９を１つの通信網として図示しているが、複数の通信網から構成されるとしてもよい。
【００３１】
ユーザ端末２５００は、通信網９に接続してサーバシステム１１００、プリントサービスシステム４、会員サイト７にアクセスすることができるコンピュータであり電子装置（電子機器）である。本実施形態のユーザ端末２５００は、いわゆるスマートフォンとして分類されるユーザ２が携帯可能な装置とするが、携帯型ゲーム装置や、据置型家庭用ゲーム装置、据置型家庭用ゲーム装置のゲームコントローラ、業務用ゲーム装置、パソコン、タブレット型コンピュータ、ウェアラブルコンピュータなどに分類される装置でもよい。
【００３２】
また、説明の便宜上、図１では、１台のユーザ端末２５００のみを図示しているが、全体システム１には、複数のユーザ２それぞれが有するユーザ端末２５００が存在し、通信網９に接続可能に構成されている。
【００３３】
プリントサービスシステム４は、コンビニエンスストアやプリントショップ等に設置された印刷装置（マルチコピー機や、画像形成装置などとも呼ばれる）を具備したシステムであり、通信網９を介して入稿される所与の入稿画像データに対して印刷指示番号を付与し、印刷装置において当該印刷指示番号を含む印刷の指示入力がなされた場合に当該指示入力に応じて当該入稿画像データに基づく画像を印刷して印刷物を排出するシステムである。本実施形態では、サーバシステム１１００が、プリントサービスシステム４に対して入稿画像データを送信する。また、プリントサービスシステム４は、印刷指示番号毎に、対応する入稿画像データに基づく画像印刷が済んでいるか否かの印刷状況を管理する。
【００３４】
会員サイト７は、ユーザ端末２５００を用いてユーザ２が会員登録することで利用可能となる所定のサービスを提供するサイトであり、例えば、ゲームやアニメ、漫画などのデジタルコンテンツを提供するサイトである。また、会員サイト７は、抽選システムを有しており、入力された所与の抽選実施番号に対して抽選処理を実施する。具体的には、抽選実施番号それぞれに対して使用済みか否かを管理し、未使用の抽選実施番号が入力された場合に、所与のくじ引きやガチャ等の抽選を１回実施する。抽選で当選する景品は、会員サイト７内で利用可能なポイントであったり、所定のデジタルコンテンツの利用券など、適宜設定することができる。
【００３５】
サーバシステム１１００は、全体システム１の中核的な役割を担うコンピュータシステムである。例えば、サーバシステム１１００は、本体装置１１０１と、キーボード１１０６と、タッチパネル１１０８と、ストレージ１１４０とを備える。そして、本体装置１１０１には制御基板１１５０が搭載されている。制御基板１１５０には、ＣＰＵ（Central Processing Unit）１１５１やＧＰＵ（Graphics Processing Unit）、ＤＳＰ（Digital Signal Processor）などの各種マイクロプロセッサ、ＡＳＩＣ（Application Specific Integrated Circuit）、ＶＲＡＭやＲＡＭ，ＲＯＭ等の各種ＩＣメモリ１１５２、通信装置１１５３が搭載されている。
【００３６】
なお、図１の例では、サーバシステム１１００は単体として記しているが、ユーザ管理機能・ウェブサイト管理機能・印刷制御管理機能などを分担する複数のブレードサーバを搭載して、相互に内部バスを介してデータ通信可能に接続した構成であっても良い。或いは、離れた場所に設置された独立した複数のサーバを、通信網９を介してデータ通信させることで、全体としてサーバシステム１１００として機能させる構成であっても良い。
【００３７】
図２は、ユーザ端末２５００の具体的な構成例を示す正面外観図である。
本実施形態のユーザ端末２５００は、いわゆるスマートフォンとして分類される装置であり、方向入力キー２５０２と、ボタンスイッチ２５０４と、画像表示デバイス兼接触位置入力デバイスとして機能するタッチパネル２５０６と、撮影部であるイメージセンサユニット２５０８と、スピーカ２５１０と、内蔵バッテリー２５０９と、マイク２５１２と、制御基板２５５０と、コンピュータ読み出し可能な記憶媒体であるメモリカード２５４０からデータを読み書きできるメモリカード読取装置２５４２と、を備える。その他、図示されていない電源ボタン、音量調節ボタン等が設けられている。また、ＩＣカード型のクレジットカードやプリペイドカードに対して非接触にデータの読み書きが行えるＩＣカード読取装置などを設けるとしてもよい。
【００３８】
制御基板２５５０は、ＣＰＵ２５５１や、ＧＰＵ，ＤＳＰなどの各種マイクロプロセッサ、ＶＲＡＭやＲＡＭ，ＲＯＭ等の各種ＩＣメモリ２５５２、通信網９に接続する携帯電話基地局や無線ＬＡＮ基地局などと無線通信するための無線通信モジュール２５５３、ＧＰＳ（Global Positioning System）やＧａｌｉｌｅｏ、ＧＬＯＮＡＳＳ等に準拠したユーザ端末２５００の現在位置を測位する測位部となる測位モジュール２５５４、が搭載されている。その他、タッチパネル２５０６のドライバ回路、方向入力キー２５０２及びボタンスイッチ２５０４からの信号を受信する回路、スピーカ２５１０へ音声信号を出力する出力アンプ回路、マイク２５１２で集音した音声の信号を生成する入力信号生成回路、イメージセンサユニット２５０８で撮影・生成された画像データの入力、メモリカード読取装置２５４２への信号入出力回路、などの所謂Ｉ／Ｆ回路２５５７（インターフェース回路）等が搭載されている。そして、これら制御基板２５５０に搭載されている各要素は、それぞれバス回路などを介して電気的に接続され、データの読み書きや信号の送受信が可能に接続されている。なお、制御基板２５５０の一部または全部をＡＳＩＣやＦＰＧＡにて構成してもよい。
【００３９】
制御基板２５５０は、ユーザ端末２５００にて印刷依頼に係る処理や、会員サイト７へのアクセスを実現するためのプログラムやデータをＩＣメモリ２５５２に記憶する。そして、プログラムを実行して演算処理を実行し、方向入力キー２５０２やボタンスイッチ２５０４、タッチパネル２５０６からの操作入力に応じてユーザ端末２５００の各部を制御する。
【００４０】
次に、図３を参照して、本実施形態の全体システム１の基本的な仕組みを説明する。
ユーザ端末２５００はローカル画像ＤＢ２５６０を有し、サーバシステム１１００は高画質画像ＤＢ１５６０を有している（ＤＢとはデータベースの略である。以下同じ。）。ローカル画像ＤＢ２５６０及び高画質画像ＤＢ１５６０は共に、多数のコンテンツ画像を、当該コンテンツ画像を識別するための画像識別情報と対応付けて記憶するデータベースである。コンテンツ画像は、ゲームやアニメ、漫画等のキャラクターの画像や、アイドルや著名人の画像の他、有名な事物の画像、戦闘機や戦車・軍艦などのミリタリー画像等である。ローカル画像ＤＢ２５６０及び高画質画像ＤＢ１５６０は、客体（被写体）が同じコンテンツ画像を、同一の画像識別情報と対応付けて格納している。但し、高画質画像ＤＢ１５６０に格納されたコンテンツ画像よりも、ローカル画像ＤＢ２５６０に格納されたコンテンツ画像の方が低画質であり、且つ、視認可能情報が混入されている。視認可能情報とは、見本であること或いは転載・コピーを禁止することを示す所与のマーク乃至所与のテキストが視認可能な形態で表された標示物のことである。
【００４１】
例えば、図４の左側に示した画像Ｄ１が、ローカル画像ＤＢ２５６０に格納されたコンテンツ画像の例である。画像Ｄ１は、高画質画像ＤＢ１５６０に格納されたコンテンツ画像よりも解像度が低く、また“サンプル”であることを視認可能に示す視認可能情報Ｍが混入されている。視認可能情報Ｍは、何らかの標識（マーク）であったり、他のテキスト情報であってもよい。また、ローカル画像ＤＢ２５６０に格納されたコンテンツ画像は、低画質であることと、視認可能情報Ｍが混入されていることのどちらかであってもよい。
【００４２】
ローカル画像ＤＢ２５６０に格納されたコンテンツ画像は、印刷依頼する画像をユーザ端末２５００で選択する際に利用するだけであり、サーバシステム１１００に送信されることはない。サーバシステム１１００に送信されるのは、コンテンツ画像ではなく、その画像識別情報である。そのため、ローカル画像ＤＢ２５６０に格納されたコンテンツ画像は、視認可能情報Ｍが混入されておらず、低画質でもないものでも勿論かまわない。
【００４３】
ユーザ２は、ユーザ端末２５００を操作して、ローカル画像ＤＢ２５６０に格納されたコンテンツ画像の中から所望のコンテンツ画像を選択し、プリントサービスシステム４での印刷をサーバシステム１１００に依頼する。ユーザ端末２５００からは、印刷依頼情報がサーバシステム１１００に送信される（図３の（１）印刷依頼）。印刷依頼情報には、ユーザ２が選択したコンテンツ画像の画像識別情報が含まれる。
【００４４】
サーバシステム１１００は、印刷依頼情報を受信すると、会員サイト７で抽選処理を実施可能とする抽選実施番号を発行する（図３の（２）抽選実施番号発行）。抽選実施番号は、サーバシステム１１００が会員サイト７と通信を行って、会員サイト７から番号を取得することで発行することとしてもよいし、予めユニークな番号の集合として設定された多数の抽選実施番号の中から未発行の番号１つを選択することで発行することとしてもよい。
【００４５】
次いで、サーバシステム１１００は、印刷依頼情報に含まれる画像識別情報に対応するコンテンツ画像（高画質画像）を高画質画像ＤＢ１５６０から読み出し、読み出したコンテンツ画像と、発行した抽選実施番号とを含む画像データを入稿画像データとして生成する（図３の（３）入稿画像データ生成）。そして、入稿画像データをプリントサービスシステム４に送信することで入稿し（図３の（４）入稿）、プリントサービスシステム４から当該入稿に対する印刷指示番号を受信する（図３の（５）印刷指示番号）。
【００４６】
プリントサービスシステム４から印刷指示番号を受信すると、その印刷指示番号を、印刷依頼情報を送信したユーザ端末２５００に返信（送信）する（図３の（６）印刷指示番号）。これでユーザ２は、希望する画像をプリントサービスシステム４へ印刷させることが可能となる。すなわち、ユーザ２は、プリントサービスシステム４に印刷指示番号を入力することで（図３の（７）印刷指示番号入力）、先に入稿された入稿画像データに係る画像が印刷された印刷物を入手することができる（図３の（８）印刷物取得）。プリントサービスシステム４には、コンビニエンスストアやプリントショップ等に設置された複数の印刷装置が含まれており、任意の印刷装置で印刷が可能である。そのため、ユーザ２は、所望の場所に設置されたプリントサービスシステム４の印刷装置を用いて、印刷指示番号を入力して印刷物を取得することができる。
【００４７】
図４の右側に印刷物Ｐ１の一例を示す。印刷物Ｐ１には、ユーザ２がユーザ端末２５００を操作して選択したコンテンツ画像と同じ被写体の、高画質であり且つ視認可能情報Ｍが混入されていないコンテンツ画像が印刷されている他、抽選実施番号が印刷されている。そこで、ユーザ２は、ユーザ端末２５００から会員サイト７にアクセスし、印刷物Ｐ１に印刷された抽選実施番号を用いた抽選処理を実行することができる（図３の（９）抽選実施）。
【００４８】
本実施形態によれば、サーバシステム１１００が、印刷依頼された画像の他に、ユニークな抽選実施番号を含んだ入稿画像を生成し、プリントサービスシステム４に入稿する。このため、ユーザ２が取得する印刷物に印刷されている抽選実施番号は、印刷依頼したコンテンツ画像が同一であるとしても、各印刷物それぞれによって異なる番号となる。従って、各印刷物に応じた抽選を楽しむことができる。また、抽選実施番号はユニークであるため、会員サイト７が抽選実施番号毎に抽選の実施有無（使用済みか否か）を管理する。そのため、悪用されるおそれも無い。加えて、プリントサービスシステム４は、入稿画像データに対して印刷指示番号を出力する機能を有しているシステムであれば、改変の必要なくそのまま利用することができる。
【００４９】
なお、印刷依頼するコンテンツ画像には、ユーザ２の編集情報を加えることができる。例えば、図５の左側に示すように、ユーザ２は、ユーザ端末２５００のローカル画像ＤＢ２５６０から枠状のコンテンツ画像であるフレーム画像Ｄ９を選択し、フレーム画像Ｄ９の中央部に、任意の画像Ｈ９（図５では人物画像となっている）を重ねて印刷依頼ベース画像Ｂ９を作成することができる。画像Ｈ９は、例えば、イメージセンサユニット２５０８（図２参照）で撮影した画像とすることもできる。また、ユーザ２は、印刷依頼ベース画像Ｂ９に、スタンプ画像ＳＴを使ったスタンプを更に施している。編集情報には、フレーム画像Ｄ９（コンテンツ画像）に重畳する画像の情報として、こうした画像Ｈ９や、スタンプの種類及び配置位置等の情報が含まれる。また、いわゆる落書きが可能であり、編集情報に落書きの情報を含めることができる。なお、フレーム画像Ｄ９は、ローカル画像ＤＢ２５６０に格納されているコンテンツ画像であるため、高画質画像ＤＢ１５６０に格納されたコンテンツ画像に比べて低画質であり、視認可能情報Ｍが混入されている。
【００５０】
サーバシステム１１００は、編集情報を含む印刷依頼情報を受信すると、印刷依頼情報に含まれる画像識別情報に対応するコンテンツ画像（この場合、フレーム画像）を高画質画像ＤＢ１５６０から読み出す。そして、編集情報に含まれている画像（この場合、画像Ｈ９）や、スタンプの画像を重畳させた上、抽選実施番号を付記した入稿画像データを生成する。最終的にプリントサービスシステム４で得られた印刷物Ｐ９の例を、図５の右側に示す。印刷物Ｐ９に印刷されているフレーム画像は高画質であり、視認可能情報Ｍが混入されていない。画像Ｈ９やスタンプなどのユーザ２が編集した通りの画像が印刷物Ｐ９に印刷されている。
【００５１】
［サーバシステムの構成］
次に、本実施形態の機能構成例について説明する。
図６は、本実施形態におけるサーバシステム１１００の機能構成例を示す機能ブロック図である。サーバシステム１１００は、操作入力部１３１０と、サーバ処理部１２００と、画像表示部１３６０と、通信部１３７０と、サーバ記憶部１５００とを備える。
【００５２】
操作入力部１３１０は、サーバシステム１１００の管理のための各種操作を入力するための手段である。図１の例ではキーボード１１０６が該当する。
【００５３】
サーバ処理部１２００は、例えばＣＰＵやＧＰＵ等のマイクロプロセッサや、ＡＳＩＣ、ＩＣメモリなどの電子部品によって実現され、操作入力部１３１０やサーバ記憶部１５００を含む各機能部との間でデータの入出力制御を行う。そして、所定のプログラムやデータ、操作入力部１３１０からの操作入力信号、ユーザ端末２５００から受信したデータに基づいて各種の演算処理を実行して、サーバシステム１１００の動作を統合的に制御する。図１の例では制御基板１１５０がこれに該当する。
【００５４】
そして、本実施形態のサーバ処理部１２００は、アカウント管理部１２０１と、印刷依頼情報受信部１２０３と、画像読出部１２０５と、抽選実施番号発行部１２０７と、入稿画像データ生成部１２０９と、発注管理部１２２１と、印刷履歴管理部１２３１と、特典付与処理制御部１２３３と、抽選管理部１２４１と、時計部１２５０と、画像生成部１２６０と、通信制御部１２７０とを備える。
【００５５】
アカウント管理部１２０１は、ユーザ登録手続きに係る処理と、登録済みユーザに関連付けされる各種データの登録管理処理とを行う。管理対象のデータは、ユーザアカウント情報１５２１としてサーバ記憶部１５００に記憶される（図７参照）。
例えば、１）所定の登録手続きを経たユーザへの固有のユーザアカウント（ユーザＩＤ）の発給処理、２）ログイン／ログアウト処理、３）ユーザ（より正確にはユーザ端末２５００）への各種通知を送信する際の宛先（例えば、メールアドレスなど）を設定する処理、４）利用履歴に関するデータの管理、などを行うことができる。
【００５６】
印刷依頼情報受信部１２０３は、通信部１３７０によるユーザ端末２５００からの印刷依頼情報の受信に係る処理を行う。印刷依頼情報は、例えば図７の印刷依頼情報１５３５に示すように、印刷する画像に含まれるコンテンツ画像を識別するための画像識別情報１５３６と、重畳させる画像やスタンプ、落書き等の編集情報１５３８が含まれるか否かを示す編集情報有無フラグ１５３７と、編集情報１５３８とを含む。印刷依頼情報受信部１２０３は、受信した印刷依頼情報１５３５に対して、印刷依頼ＩＤ１５３１を付与し、依頼したユーザ２のユーザＩＤ１５３２と、依頼日時１５３３とを対応付けて依頼データ１５３０としてサーバ記憶部１５００に格納する。また、印刷依頼ＩＤ１５３１と依頼日時１５３３とはユーザ端末２５００にも送信し、ユーザ端末２５００側には依頼データ２６３０内に格納される（図８参照）。
【００５７】
図６に戻り、画像読出部１２０５は、印刷依頼情報１５３５に含まれる画像識別情報１５３６に対応するコンテンツ画像を、高画質画像ＤＢ１５６０から読み出して、入稿画像データ生成部１２０９に出力する。
【００５８】
抽選実施番号発行部１２０７は、１つの印刷依頼情報１５３５（換言すると１つの依頼データ１５３０）に対して、ユニークな抽選実施番号を１つ発行する。発行する方法は、会員サイト７と通信を行って、抽選処理を実行するための番号を１つ特定・取得することで発行することとしてもよいし、予め用意された多数の抽選実施番号の中から、未発行の抽選実施番号を１つ選択することで発行するとしてもよい。
【００５９】
入稿画像データ生成部１２０９は、印刷依頼情報１５３５に編集情報１５３８が含まれていない場合には、画像読出部１２０５が読み出したコンテンツ画像に、抽選実施番号発行部１２０７が発行した抽選実施番号を付記した入稿画像データを生成する（図４の右側の印刷物Ｐ１の画像を参照）。編集情報１５３８が含まれている場合には、入稿画像データ生成部１２０９は、画像読出部１２０５が読み出したコンテンツ画像に、印刷依頼情報１５３５に含まれる編集情報１５３８に基づく編集を施し、更に抽選実施番号発行部１２０７が発行した抽選実施番号を付記することで入稿画像データを生成する（図５の右側の印刷物Ｐ９の画像を参照）。例えば、編集情報１５３８に画像が含まれているのであれば、当該画像を重ねる画像処理を施したり、スタンプや落書き等の情報が含まれているのであれば、当該スタンプ等の画像を重ねる画像処理を施す。入稿画像データは、発注管理部１２２１によって管理される印刷データ１５４０内に、入稿画像データ１５４５として格納されて管理される（図７参照）。
【００６０】
発注管理部１２２１は、プリントサービスシステム４への印刷発注や発注後の状況確認など、印刷発注に関する機能を担う。また、１つの依頼データ１５３０に係る１つの印刷発注に関するデータを印刷データ１５４０（図７参照）として作成・管理する。発注管理部１２２１は、より詳細な機能部として、待機期限設定部１２２３と、印刷発注部１２２５と、印刷指示番号通知部１２２７と、印刷状況問合せ部１２２８と、印刷状況通知部１２２９とを有する。
【００６１】
待機期限設定部１２２３は、プリントサービスシステム４へ入稿するに当たり、待機期限１５４６を設定する。本実施形態では、プリントサービスシステム４は、未印刷の入稿画像データの印刷を待機する期限を、所与の期限に設定可能であるとする。待機期限１５４６はその期限である。例えば、入稿日時から４８時間後としたり、入稿日の翌々日の深夜２４時とするなど、適宜設定することができる。待機期限設定部１２２３が設定した待機期限１５４６は、入稿画像データ１５４５とともにプリントサービスシステム４に送信される。設定された待機期限１５４６は、印刷データ１５４０に格納される。発注管理部１２２１は、設定された待機期限１５４６を経過した印刷データ１５４０について、印刷指示番号１５４７を削除または使用不可としたり、印刷データ１５４０そのものを削除することができる。印刷データ１５４０そのものを削除する場合には、対応する依頼データ１５３０も削除する。
【００６２】
印刷発注部１２２５は、入稿画像データ生成部１２０９が生成した入稿画像データ１５４５を、待機期限１５４６とともにプリントサービスシステム４へ送信制御することで入稿し、印刷を発注する。プリントサービスシステム４からは入稿画像データ１５４５に対する印刷指示番号１５４７が送信されるため、印刷発注部１２２５はこの印刷指示番号１５４７を受信して、入稿画像データ１５４５と対応付けて印刷データ１５４０に格納する。また、１つ１つの印刷発注を特定するための印刷発注ＩＤ１５４１と、発注日時１５４３と、入稿画像データ１５４５の元となった依頼データ１５３０に係る印刷依頼ＩＤ１５４４およびユーザＩＤ１５４２とを印刷データ１５４０に格納する。また、プリントサービスシステム４から受信した印刷指示番号１５４７を印刷データ１５４０に格納する。印刷状況１５４９には、プリントサービスシステム４で「未印刷」か「印刷済」かを示す情報が格納されるが、発注時点では「未印刷」として格納する。また、抽選実施番号発行部１２０７が発行した当該入稿画像データ１５４５に対応する抽選実施番号１５４８を印刷データ１５４０に格納する。
【００６３】
図６に戻り、印刷指示番号通知部１２２７は、プリントサービスシステム４によって入稿画像データ１５４５に対して付された印刷指示番号を、当該入稿画像データ１５４５に係るユーザ２（より正確にはユーザ端末２５００）に通知する機能部である。通知先は、例えばユーザ２の電子メール宛であってもよいし、ユーザ端末２５００が通信接続中であれば、当該ユーザ端末２５００に直接通知してもよい。また、印刷指示番号通知部１２２７は、印刷指示番号の通知とともに、待機期限１５４６も併せて通知する。
【００６４】
印刷状況問合せ部１２２８は、各印刷データ１５４０それぞれについて、入稿画像データ１５４５が印刷されたか否かをプリントサービスシステム４に問合せる機能部である。印刷状況問合せ部１２２８は、問合せ結果に基づいて印刷状況１５４９を更新する。
【００６５】
印刷状況通知部１２２９は、印刷状況問合せ部１２２８が問合せた結果の印刷状況（印刷済か、未印刷か）をユーザ２（より正確にはユーザ端末２５００）に通知する機能部である。
【００６６】
印刷履歴管理部１２３１は、依頼データ１５３０をユーザＩＤ１５３２別に整理してユーザ別印刷依頼記録データ１５７１として管理するとともに、印刷状況１５４９が「印刷済」の印刷データ１５４０をユーザＩＤ１５４２別に整理してユーザ別印刷済記録データ１５７３として管理する機能部である（図７参照）。ユーザ別印刷依頼記録データ１５７１に記憶して管理を移管した依頼データ１５３０や、ユーザ別印刷済記録データ１５７３に記憶して管理を移管した印刷データ１５４０は、削除することができる。
【００６７】
特典付与処理制御部１２３３は、プリントサービスシステム４で印刷完了したコンテンツ画像の数又は組み合わせが、所与の特典を付与する条件を満たすか否かを判定し、満たす場合に特典付与処理を実行する機能部である。具体的には、依頼データ１５３０及び印刷データ１５４０（或いはユーザ別印刷依頼記録データ１５７１及びユーザ別印刷済記録データ１５７３）から、印刷状況１５４９が「印刷済」である画像識別情報１５３６を、ユーザ２別に検索して、特典付与条件データ１５７７（図７参照）に定められた条件を満たすかを判定する。そして満たす場合に、特典付与処理を実行する。特典付与条件データ１５７７には、「印刷済」の画像識別情報１５３６の数や、「印刷済」である特定の画像識別情報１５３６の組み合わせを条件として複数の条件が定められており、各条件に対応付けて付与する特典が設定されている。特典としては、例えば、いわゆる未解放画像として、当初は印刷依頼ができないように制限がかけられてローカル画像ＤＢ２５６０に格納されていた特別画像（特別なコンテンツ画像）の制限を解除して解放し、印刷依頼を可能とすることや、ユーザ端末２５００での画像編集時に新たなスタンプを使えるようにすること、等を採用することができる。特典付与処理制御部１２３３は、特典付与条件を満たすユーザ２のユーザ端末２５００に通信して、上述した特典付与に係る処理を実行する。
【００６８】
抽選管理部１２４１は、抽選状況問合せ部１２４３と抽選実施状況通知部１２４５とを有する。抽選状況問合せ部１２４３は、抽選実施番号１５４８それぞれについて、抽選処理が実施されたか否かの抽選状況を会員サイト７に問合せる機能部である。問合せた結果の抽選状況は、ユーザ２別（或いはユーザ端末２５００別）に纏められてユーザ別抽選状況データ１５７５として管理・記憶される（図７参照）。
【００６９】
抽選実施状況通知部１２４５は、抽選の実施状況（実施済みか、未実施か）を、対応するユーザ２（より正確にはユーザ端末２５００）に通知する機能部である。
【００７０】
時計部１２５０は、現在日時を計時する時計に係る機能部である。
【００７１】
画像生成部１２６０は、例えば、ＧＰＵ、デジタルシグナルプロセッサ（ＤＳＰ）などのプロセッサ、ビデオ信号ＩＣ、ビデオコーデックなどのプログラム、フレームバッファ等の描画フレーム用ＩＣメモリ等によって実現される。画像生成部１２６０は、システム管理に必要な画像を生成して画像信号を画像表示部１３６０に出力する。
【００７２】
画像表示部１３６０は、画像生成部１２６０から入力される画像信号に基づいてシステム管理のための各種画像を表示する。例えば、フラットパネルディスプレイ、ブラウン管（ＣＲＴ）、プロジェクター、ヘッドマウントディスプレイといった画像表示装置によって実現できる。図１の例ではタッチパネル１１０８が該当する。
【００７３】
通信制御部１２７０は、データ通信に係るデータ処理を実行し、通信部１３７０を介して外部装置とのデータのやりとりを実現する。
【００７４】
通信部１３７０は、通信網９と接続して通信を実現する。例えば、無線通信機、モデム、ＴＡ（ターミナルアダプタ）、有線用の通信ケーブルのジャックや制御回路等によって実現される。図１の例では通信装置１１５３が該当する。
【００７５】
サーバ記憶部１５００は、サーバ処理部１２００にサーバシステム１１００を統合的に制御させるための諸機能を実現するためのプログラムや各種データ等を記憶する。また、サーバ処理部１２００の作業領域として用いられ、サーバ処理部１２００が各種プログラムに従って実行した演算結果などを一時的に記憶する。こうした機能は、例えばＲＡＭやＲＯＭなどのＩＣメモリ、ハードディスク等の磁気ディスク、ＣＤ−ＲＯＭやＤＶＤなどの光学ディスク、オンラインストレージなどによって実現される。図１の例ではＩＣメモリ１１５２やハードディスクなどの記憶媒体、及びストレージ１１４０がこれに該当する。
【００７６】
図７にサーバ記憶部１５００が記憶する各種のプログラム及びデータの一例を示す。サーバ記憶部１５００は、プログラムとして、サーバシステムプログラム１５０７と、管理プログラム１５０８とを記憶する。
【００７７】
サーバシステムプログラム１５０７は、サーバ処理部１２００が読み出して実行することでコンピュータとして必要な基本的な入出力機能を実現するための基本プログラムである。
【００７８】
管理プログラム１５０８は、画像印刷に係る機能を実現させるためのプログラムであり、管理プログラム１５０８を実行することにより、アカウント管理部１２０１、印刷依頼情報受信部１２０３、画像読出部１２０５、抽選実施番号発行部１２０７、入稿画像データ生成部１２０９、発注管理部１２２１、印刷履歴管理部１２３１、特典付与処理制御部１２３３、抽選管理部１２４１などの機能が実装される。管理プログラム１５０８を実行することにより実現される管理処理の流れは図１０を参照して後述する。
【００７９】
また、サーバ記憶部１５００は、各種データとして、ユーザアカウント情報１５２１、依頼データ１５３０、印刷データ１５４０、高画質画像ＤＢ１５６０、ユーザ別印刷依頼記録データ１５７１、ユーザ別印刷済記録データ１５７３、ユーザ別抽選状況データ１５７５、特典付与条件データ１５７７を記憶する。
【００８０】
［ユーザ端末の構成］
次に、ユーザ端末２５００の機能構成について説明する。
図８は、本実施形態におけるユーザ端末２５００の機能構成例を示す機能ブロック図である。ユーザ端末２５００は、操作入力部２３１０と、撮影部２３２０と、測位部２３３０と、端末処理部２２００と、音出力部２３５５と、画像表示部２３６０と、通信部２３７０と、端末記憶部２６００とを備える。
【００８１】
操作入力部２３１０は、ユーザ２によって為された各種の操作入力に応じて操作入力信号を端末処理部２２００に出力する。例えば、スイッチや、ジョイスティック、タッチパッド、トラックボール、加速度センサ、ジャイロ、ジェスチャーコントローラ、などによって実現できる。図２の例では、方向入力キー２５０２や、ボタンスイッチ２５０４、タッチパネル２５０６がこれに該当する。
【００８２】
撮影部２３２０は、操作入力に応じて撮影し、撮影画像データを端末処理部２２００に出力するデジタルカメラの機能部であり、図２の例ではイメージセンサユニット２５０８がこれに該当する。
【００８３】
測位部２３３０は、ユーザ端末２５００の現在位置を測位し、測位した位置情報を端末処理部２２００に出力する。測位方式は従来公知の技術を適用することができ、例えば、ＧＰＳやＧａｌｉｌｅｏ、ＧＬＯＮＡＳＳといった衛星を用いた測位システムに準拠した構成とすることができる。また、衛星測位システムではなく、地上に設置された位置特定信号を発する近距離無線機の通信距離圏内であるか否かに基づいてユーザ端末２５００の位置を特定する等の測位システムに準拠した構成とすることもできる。図２の例では測位モジュール２５５４が測位部２３３０に該当する。
【００８４】
端末処理部２２００は、例えばＣＰＵ，ＧＰＵ等のマイクロプロセッサや、ＡＳＩＣ、ＦＰＧＡ、ＩＣメモリなどの電子部品によって実現され、操作入力部２３１０や端末記憶部２６００を含む各機能部との間でデータの入出力制御を行う。そして、所定のプログラムやデータ、操作入力部２３１０からの操作入力信号、サーバシステム１１００から受信したデータ、会員サイト７から受信したデータ等に基づいて各種の演算処理を実行して、ユーザ端末２５００の動作を制御する。図２の例では制御基板２５５０がこれに該当する。
【００８５】
そして、本実施形態の端末処理部２２００は、画像印刷依頼処理部２２１０と、会員サイト処理部２２２０と、通知受信制御部２２３１と、時計部２２５０と、音生成部２２５５と、画像生成部２２６０と、通信制御部２２７０とを含む。
【００８６】
画像印刷依頼処理部２２１０は、サーバシステム１１００に、プリントサービスシステム４での画像印刷を依頼する際の処理を担う機能部であり、１つの依頼に関して１つの印刷依頼情報２６４０を生成してサーバシステム１１００に印刷依頼を行うとともに、これに印刷依頼ＩＤ２６３１と依頼日時２６３３とを対応付けて依頼データ２６３０として端末記憶部２６００に記憶・管理する。画像印刷依頼処理部２２１０は、より具体的な機能部として、画像選択部２２１１と、画像編集部２２１３と、印刷依頼制御部２２１５と、ローカル画像管理部２２１７と、特典付与処理ローカル制御部２２１９とを有する。
【００８７】
画像選択部２２１１は、操作入力に応じて、ローカル画像ＤＢ２５６０から、サーバシステム１１００に画像印刷を依頼するコンテンツ画像を選択する機能部である。選択したコンテンツ画像の画像識別情報２６４１は、印刷依頼情報２６４０に格納される。
【００８８】
画像編集部２２１３は、画像選択部２２１１によって選択されたコンテンツ画像に重畳させる画像を設定するなど、選択されたコンテンツ画像を編集するための機能部である。例えば、画像選択部２２１１によって選択されたコンテンツ画像がフレーム画像であれば、図５に示したように、撮影部２３２０で撮影した撮影画像を当該フレーム画像に合成させたり、操作入力に応じたスタンプや落書き等を追加描画することで画像の編集を実行する。編集された内容は、編集情報２６４５として印刷依頼情報２６４０に格納される。なお、画像の編集をするかしないかはユーザ２の任意であるため、編集されず、画像選択部２２１１によって選択されたコンテンツ画像そのままの場合もある。編集されたか否かは、編集有無フラグ２６４３として印刷依頼情報２６４０に格納される。
【００８９】
印刷依頼制御部２２１５は、印刷依頼情報２６４０をサーバシステム１１００に送信して印刷依頼を行う機能部であり、また、印刷依頼に応じてサーバシステム１１００から送信されてくる印刷指示番号を受信する。また、印刷依頼においてサーバシステム１１００から送信される印刷依頼ＩＤ２６３１と、印刷依頼に係る依頼日時２６３３とを印刷依頼情報２６４０に対応付けて依頼データ２６３０として端末記憶部２６００に記憶させる。各印刷依頼に対する印刷指示番号は、印刷依頼ＩＤ２６３１と対応付けて印刷指示番号データ２６７１に格納される。また、印刷指示番号データ２６７１には、対応する印刷依頼に係る各種の状況データ２６７２が対応付けられて、サービスデータ２６７０として端末記憶部２６００に記憶される。状況データ２６７２には、サーバシステム１１００の印刷指示番号通知部１２２７から通知される待機期限、印刷状況通知部１２２９から通知される印刷状況、抽選実施状況通知部１２４５から通知される抽選実施状況が格納される。
サービスデータ２６７０に格納された印刷指示番号や待機期限、印刷状況、抽選実施状況は、適宜、操作入力に応じて画像表示部２３６０に表示される。
【００９０】
ローカル画像管理部２２１７は、ローカル画像ＤＢ２５６０に格納された各コンテンツ画像の使用許否を管理する機能部であり、使用許否を、画像使用許否テーブル２５６１に基づいて判定する。画像使用許否テーブル２５６１には、各コンテンツ画像について、印刷依頼することを許可するか否か、及び、許可する場合の条件が定められている。例えば、測位部２３３０によって測位された現在位置が所定の場所条件を満たす場合を許可条件としたり、現在日時が所定の時間条件を満たす場合を許可条件としたり、未会員でも利用できるサービスを提供する場合は会員登録済みである場合を許可条件とする等である。無条件に許可する場合には、その旨が定められる。また、特典付与処理において印刷依頼を可能とする旨の特典が付与されたことを許可条件とすることができる。
【００９１】
特典付与処理ローカル制御部２２１９は、サーバシステム１１００の特典付与処理制御部１２３３の制御に従って、特典を付与する処理を実行するローカル側（ユーザ端末２５００側）の制御部である。
【００９２】
会員サイト処理部２２２０は、会員サイト７に通信接続して、会員用の所定のサービス提供を実行するための機能部である。例えば、動画や静止画などの画像閲覧や、ゲームの実行などを行う。また、会員サイト７にログインするための会員サイトアカウント情報２６７３の管理や、会員サイト７を利用したユーザデータである会員サイトユーザデータ２６７５の管理等を行う。
【００９３】
また、会員サイト処理部２２２０は、会員サイト７で実施される抽選実施番号に基づく抽選処理の実行制御を担う抽選実施制御部２２２１を含む。
【００９４】
通知受信制御部２２３１は、サーバシステム１１００から送信される通知を受信し、画像表示部２３６０に表示させたり、音出力部２３５５から所定の報知音を放音させる。例えば、印刷依頼が行われたものの、プリントサービスシステム４での印刷物の印刷が未だ行われていない旨の通知や、プリントサービスシステム４で印刷物が印刷されたものの、当該印刷物に印刷されている抽選実施番号を用いた抽選処理が実施されていない旨の通知、所与の特典が付与された旨の通知、等である。
【００９５】
時計部２２５０は、現在日時を計時する時計に係る機能部である。
【００９６】
音生成部２２５５は、例えばデジタルシグナルプロセッサ（ＤＳＰ）や、音声合成ＩＣなどのプロセッサ、音声ファイルを再生可能なオーディオコーデック等によって実現され、各種の通知音や操作音の音信号を生成し、音出力部２３５５に出力する。
【００９７】
音出力部２３５５は、音生成部２２５５から入力される音信号に基づいて通知音やＢＧＭ等を音出力する装置によって実現される。図２のスピーカ２５１０がこれに該当する。
【００９８】
画像生成部２２６０は、例えば、ＧＰＵ、デジタルシグナルプロセッサ（ＤＳＰ）などのプロセッサ、ビデオ信号ＩＣ、ビデオコーデックなどのプログラム、フレームバッファ等の描画フレーム用ＩＣメモリ等によって実現され、画像信号を生成して画像表示部２３６０へ出力する。
【００９９】
画像表示部２３６０は、画像生成部２２６０から入力される画像信号に基づいて各種画面を表示することができる。例えば、フラットパネルディスプレイ、ブラウン管（ＣＲＴ）、プロジェクター、ヘッドマウントディスプレイといった画像表示装置によって実現できる。本実施形態では、図２のタッチパネル２５０６がこれに該当する。
【０１００】
通信制御部２２７０は、データ通信に係るデータ処理を実行し、通信部２３７０を介して外部装置とのデータのやりとりを実現する。
【０１０１】
通信部２３７０は、通信網９と接続して通信を実現する。例えば、無線通信機、モデム、ＴＡ（ターミナルアダプタ）、有線用の通信ケーブルのジャックや制御回路等によって実現され、図２の無線通信モジュール２５５３がこれに該当する。
【０１０２】
端末記憶部２６００は、ユーザ端末２５００を統合的に制御するための諸機能を端末処理部２２００に実現させるためのプログラムや各種データ等を記憶する。また、端末処理部２２００の作業領域として用いられ、端末処理部２２００が各種プログラムに従って実行した演算結果や操作入力部２３１０から入力される入力データ等を一時的に記憶する。こうした機能は、例えばＲＡＭやＲＯＭなどのＩＣメモリ、ハードディスク等の磁気ディスク、ＣＤ−ＲＯＭやＤＶＤなどの光学ディスクなどによって実現される。図２の制御基板２５５０が搭載するＩＣメモリ２５５２がこれに該当する。
【０１０３】
端末記憶部２６００は、メニュー画面を表示させて実行する項目を選択させるシステムプログラムであるメインプログラム２６０１と、端末処理部２２００に画像印刷依頼処理部２２１０としての機能を実現させるための画像印刷依頼プログラム２６０３と、端末処理部２２００に会員サイト処理部２２２０としての機能を実現させるための会員サイト用プログラム２６０５等を記憶する。
【０１０４】
また、各種データとして、端末記憶部２６００は、ユーザＩＤ２６２１と、依頼データ２６３０と、ローカル画像ＤＢ２５６０と、サービスデータ２６７０と、会員サイトアカウント情報２６７３と、会員サイトユーザデータ２６７５とを記憶する。
【０１０５】
［処理の流れの説明］
図９は、ユーザ端末２５００で実行される処理の流れを説明するためのフローチャートである。
ここで説明する処理の流れは、ユーザ端末２５００が、メインプログラム２６０１を実行した上で、適宜、画像印刷依頼プログラム２６０３や会員サイト用プログラム２６０５を実行することで実現される。メインプログラム２６０１と、画像印刷依頼プログラム２６０３と、会員サイト用プログラム２６０５とは、別々のプログラムとするのではなく、１つのプログラムとすることもできる。
【０１０６】
まず、ユーザ端末２５００は、メインプログラム２６０１を実行すると、ユーザ２によって入力され、又は、ユーザ端末２５００に記憶されたユーザＩＤ２６２１等のログイン情報をサーバシステム１１００に送信し、サーバシステム１１００から最新のサービスに係る各種プログラムや、ローカル画像ＤＢ２５６０に追加或いは削除するコンテンツ画像に係るデータ、画像使用許否テーブル２５６１の追加或いは削除に係るデータ、ユーザＩＤ２６２１に対応する状況データ２６７２に係る最新のデータ、等を受信して端末記憶部２６００の情報を更新し、メニュー画面を表示して実行する項目（アプリケーション）の選択待ちとなる（ステップＴ２）。
【０１０７】
そして、“画像印刷依頼”の項目が選択された場合には、画像印刷依頼プログラム２６０３を実行してステップＴ１２〜Ｔ２８の処理を行う。すなわち、サーバシステム１１００から特典付与通知を受信し、特典付与処理を実行する場合には（ステップＴ１２：ＹＥＳ）、特典付与処理を実行する（ステップＴ１４）。
【０１０８】
次いで、ローカル画像ＤＢ２５６０に格納された各コンテンツ画像の使用許否を、画像使用許否テーブル２５６１に基づいて判定する（ステップＴ１６）。この際、端末処理部２２００は、時計部２２５０が計時する現在日時や、測位部２３３０が測位する現在位置等の情報を適宜利用して、使用許否を判定する。
【０１０９】
そして、端末処理部２２００は、使用可能と判定されたコンテンツ画像を画像表示部２３６０に選択可能に表示して、ユーザ２の操作入力に従って、印刷依頼対象とするコンテンツ画像を選択する（ステップＴ１８）。また、必要に応じて、当該選択したコンテンツ画像を編集する（ステップＴ２０）。印刷依頼の実行を決定する旨の操作入力がなされた場合には（ステップＴ２２：ＹＥＳ）、印刷依頼対象とするコンテンツ画像の画像識別情報２６４１と、編集情報２６４５とを含めた印刷依頼情報２６４０を作成してサーバシステム１１００に送信し（ステップＴ２４）、印刷依頼を行う。また、印刷依頼した日時を依頼日時２６３３とし、サーバシステム１１００との間で決定した印刷依頼ＩＤ２６３１を印刷依頼情報２６４０に付して依頼データ２６３０を作成して端末記憶部２６００に記憶する。依頼データ２６３０は、サーバシステム１１００では、依頼データ１５３０としてサーバ記憶部１５００に記憶される。また、印刷依頼に応じて、サーバシステム１１００から送信されてくる印刷指示番号を受信して（ステップＴ２６）、印刷依頼ＩＤ２６３１と対応付けて印刷指示番号データ２６７１に格納する。
【０１１０】
“画像印刷依頼”を終了する旨の操作入力がなされ、終了するのであれば（ステップＴ２８：ＹＥＳ）、ステップＴ５２へ処理を移行する。“画像印刷依頼”を継続するのであれば、ステップＴ１２へ処理を移行する。
【０１１１】
ステップＴ２において、“会員サイト”の項目が選択された場合、端末処理部２２００は、会員サイト用プログラム２６０５を実行して、会員サイト処理を実行する（ステップＴ４２）。会員サイト処理では、抽選実施番号を用いて会員サイトで実施可能な抽選処理を実施することができる。会員サイト処理が終了した場合、ステップＴ５２へ処理を移行する。
【０１１２】
ステップＴ２において、“予約リスト”の項目が選択された場合、端末処理部２２００は、各印刷依頼ＩＤ２６３１に対応する印刷指示番号データ２６７１のサービスデータ２６７０をリスト状に表示させる処理を実行する（ステップＴ４６）。
【０１１３】
ここで、表示の形態は種々考えられる。例えば、印刷依頼ごとに、当該印刷依頼に係るコンテンツ画像（例えば図４の左側の画像Ｄ１）や、編集情報を加えた印刷依頼ベース画像（例えば図５の左側の印刷依頼ベース画像Ｄ９）を選択可能に一覧に表示する。そして、選択された印刷依頼について、詳細表示として、印刷指示番号や、待機期限、印刷状況、抽選実施状況をサービスデータ２６７０から読み出して表示する。
【０１１４】
印刷済、または、未印刷であるが待機期限が到来した印刷依頼については、リスト中に表示しないこととしてもよい。待機期限が到来した印刷依頼に係る情報を表示しないことによって、何らかの原因で印刷指示番号がユーザ端末２５００側に記憶されており、プリントサービスシステム４で利用できない印刷指示番号を表示してしまって、あたかも利用できるかのようにユーザ２に勘違いさせてしまうことを防止できる。
【０１１５】
また、実際に印刷依頼をした時点ではコンテンツ画像の使用許可条件を満たしていたが、このリスト表示の時点では満たしていない場合や、既にローカル画像ＤＢから削除されたコンテンツ画像に基づいて印刷依頼をしている場合には、コンテンツ画像に代えて使用不可を示す所定画像をリスト表示としてもよい。
【０１１６】
印刷依頼に係る各種の情報表示が終了した場合、ステップＴ５２へ処理を移行する。
【０１１７】
ステップＴ５２では、端末処理部２２００は、サーバシステム１１００から各種の通知がなされているか否かを判定する（ステップＴ５２）。通知がなされている場合には（ステップＴ５２：ＹＥＳ）、端末処理部２２００は、通知内容を画像表示部２３６０に表示させたり、報知音を音出力部２３５５から放音させることで報知する（ステップＴ５４）。例えば、特典付与処理の実行を指示する通知がなされている場合には、“画像印刷依頼”の項目を次回実行する際に特典付与処理（ステップＴ１４）を実行することとしたり、或いは、この通知を受けた時点で特典付与処理（ステップＴ１４）を実行することとしてもよい。また、印刷依頼が行われたが、プリントサービスシステム４での印刷が未印刷の状態である旨の通知を受けた場合には、その旨を画像表示部２３６０に表示して報知する。また、プリントサービスシステム４での印刷が完了したが、発行された抽選実施番号を用いた抽選処理が行われてない旨の通知を受けた場合には、その旨を画像表示部２３６０に表示して報知する。なお、サーバシステム１１００から通知を受けた場合、対応する状況データ２６７２を更新する。
【０１１８】
通知がなされていない場合（ステップＴ５２：ＮＯ）、又は、報知を行った後は（ステップＴ５４）、メニュー画面を表示して、実行する項目（アプリケーション）の選択待ちとなるステップＴ２へ戻る。
【０１１９】
図１０は、サーバシステム１１００で実行される管理処理に関する処理の流れを説明するためのフローチャートである。ここで説明する処理の流れは、サーバシステム１１００が、管理プログラム１５０８を実行することで実現される。
【０１２０】
まず、サーバ処理部１２００は、ユーザ端末２５００から印刷依頼情報が送られてきたかどうかを判定し、印刷依頼情報を受信した場合には（ステップＳ２：ＹＥＳ）、印刷依頼情報に含まれている画像識別情報に対応するコンテンツ画像を、高画質画像ＤＢ１５６０から読み出す（ステップＳ４）。そして、抽選実施番号を１つ新たに発行した上で（ステップＳ６）、入稿画像データを生成する（ステップＳ８）。印刷依頼情報に編集情報が含まれている場合には、当該編集情報に従って、ステップＳ４で読み出したコンテンツ画像を編集した上で、抽選実施番号を付記して入稿画像データを生成する。
【０１２１】
次いで、サーバ処理部１２００は、プリントサービスシステム４が印刷物の印刷実行を待機する期限である待機期限を設定する（ステップＳ１０）。そして、入稿画像データを待機期限とともにプリントサービスシステム４に送信して入稿する（ステップＳ１２）。また、入稿に応じてプリントサービスシステム４から送信されてくる印刷指示番号を受信し（ステップＳ１４）、入稿画像データ等とともに印刷データ１５４０を作成してサーバ記憶部１５００に記憶する。また、印刷指示番号は、印刷依頼を行ったユーザ端末２５００に送信して通知する（ステップＳ１６）。
【０１２２】
また、サーバ処理部１２００は、時計部１２５０の計時に基づいて、印刷状況問合せタイミングが到来したかどうかを判定する（ステップＳ１８）。例えば、５分毎等の所定時間間隔を印刷状況問合せタイミングとしてもよいし、毎正時を印刷状況問合せタイミングとしてもよい。印刷状況問合せタイミングであれば（ステップＳ１８：ＹＥＳ）、各印刷指示番号１５４７に係る印刷物の印刷が完了しているか否かをプリントサービスシステム４に問合せ（ステップＳ２０）、問合せ結果を印刷状況１５４９に更新記憶させる。問合せの結果、待機期限１５４６が到来していない未印刷の印刷指示番号１５４７を抽出し、印刷データ１５４０のユーザＩＤ１５４２及びユーザアカウント情報１５２１等に基づいて、未印刷の印刷指示番号１５４７に対応する印刷依頼をしたユーザ端末２５００に、未印刷であること及び待機期限１５４６を通知する（ステップＳ２２〜Ｓ２４）。勿論、印刷済みの場合も、印刷状況を通知することとしてもよい。
【０１２３】
なお、問合せの結果を利用して、印刷済みの印刷指示番号１５４７と、待機期限１５４６が到来した未印刷の印刷指示番号１５４７とを抽出し、抽出した印刷指示番号１５４７が対応付けられている印刷依頼ＩＤ１５３１，１５４４を含む印刷データ１５４０および依頼データ１５３０を削除してもよい。
【０１２４】
次いで、サーバ処理部１２００は、印刷済みのコンテンツ画像の数や組み合わせ等に基づき、特典付与条件データ１５７７に定められた条件に合致するユーザ２を判定し（ステップＳ２６）、当該ユーザ２に、当該条件に対応付けて定められた特典を付与する処理を実行する（ステップＳ２８）。例えば、当該ユーザ２のユーザ端末２５００に、特典を付与する通知を行い、特典付与処理を実行させる。
【０１２５】
次いで、サーバ処理部１２００は、時計部１２５０の計時に基づいて、抽選実施状況の問合せタイミングが到来したかどうかを判定する（ステップＳ３０）。例えば、５分毎等の所定時間間隔を問合せタイミングとしてもよいし、毎正時を問合せタイミングとしてもよい。抽選実施状況の問合せタイミングであれば（ステップＳ３０：ＹＥＳ）、各抽選実施番号１５４８に係る抽選処理を実施済みであるか否かを会員サイト７に問合せ（ステップＳ３２）、未実施の抽選実施番号１５４８に対応する印刷依頼をしたユーザ端末２５００に、抽選が未実施であることを通知する（ステップＳ３６）。勿論、実施済みの場合も抽選実施状況を通知することとしてもよい。
【０１２６】
そして、ステップＳ２へ処理を移行して、ステップＳ２〜Ｓ３６の処理を繰り返す。
【０１２７】
以上、本実施形態によれば、印刷依頼に係る画像にユニークな抽選実施番号を付与し、当該抽選実施番号を含んだ画像を、プリントサービスシステム４に入稿して印刷させることができる。ユーザ２から見れば、ユーザ端末２５００を用いて画像印刷を依頼すると、実際にプリントサービスシステム４での印刷を実行するための印刷指示番号を入手することができるため、この印刷指示番号をプリントサービスシステム４に入力することで依頼した画像が印刷された印刷物を入手することができる。従って、ユーザ２にとっては従来と同じ手順で印刷物を入手することができるため、従来と同じ慣れ親しんだ手順に変わりない。また、印刷物にはユニークな抽選実施番号が印刷されている。これにより、ユーザ２は、同一のコンテンツ画像を複数枚印刷依頼した場合であっても、印刷物毎に、異なるユニークな抽選実施番号を取得することができ、各印刷物に応じた抽選を楽しむことができる。また、実際にプリントサービスシステム４に印刷指示番号を入力して印刷させるまでは、抽選実施番号は公開されず、しかもその番号はユニークであるため、使用済み（抽選実施済み）の番号か否かを簡単に管理することができる。従って、悪用されるおそれも無い。
【０１２８】
また、プリントサービスシステム４は、所与の入稿画像データに対して印刷指示番号を付与し、当該印刷指示番号を含む印刷の指示入力に応じて当該入稿画像データに基づく画像を印刷するシステムであるため、当該技術を採用している公知のプリントサービスシステムであれば、改変することなくそのまま利用することができる。
【０１２９】
〔変形例〕
以上、本発明を適用した実施形態の例について説明したが、本発明を適用可能な形態は上記形態に限定されるものではなく、適宜構成要素の追加・省略・変更を施すことができる。
【０１３０】
例えば、プリントサービスシステム４の印刷装置として、プリントシール機（或いは写真シール機）と呼ばれる装置を含むこととしてもよい。
【０１３１】
また、上記の実施形態では、ユーザ端末２５００において、過去に、コンテンツ画像に基づく印刷依頼を行った画像について、再度の印刷依頼を行う場合には、初めから同じ手続を繰り返す必要があったが、再度の印刷依頼を簡便化する仕様を組み込んでもよい。
例えば、再度の印刷依頼を行う際に、対応するコンテンツ画像の使用許可条件を満たしている場合に、印刷指示番号の再発行を依頼する操作を可能としたり、同じ画像を再度印刷依頼するための追加印刷依頼の操作を可能とする仕様を組み込んでもよい。この場合、サーバシステム１１００において、過去にユーザ端末２５００から受信したデータを再利用することとするとより好適である。
【０１３２】
より具体的には、図９のステップＴ４６の“予約リスト”の表示において、リスト表示された過去の印刷依頼の一覧の中からユーザ２によって選択された印刷依頼の印刷状況が未印刷で、且つ、待機期限が到来している場合に、印刷指示番号の再発行を依頼（指示）するための再発行依頼画像を選択可能に表示する。この再発行依頼画像に対してユーザ２が選択指示操作をした場合、ユーザ端末２５００が、当該印刷依頼に係る印刷依頼ＩＤ２６３１（旧印刷依頼ＩＤともいえる）を含む再発行依頼情報を生成して、サーバシステム１１００に送信し、再発行依頼を行う。印刷再発行依頼情報には、画像識別情報２６４１や編集情報２６４５を含める必要はない。
【０１３３】
一方、サーバシステム１１００では、再発行依頼情報を受信すると、当該再発行依頼情報に含まれる印刷依頼ＩＤ（旧印刷依頼ＩＤ）に対応する入稿画像データ１５４５を再度プリントサービスシステム４に送信して新たな印刷指示番号１５４７を取得する。このとき、抽選実施番号１５４８を新たに発行する場合は、印刷依頼ＩＤ（旧印刷依頼ＩＤ）に対応する依頼データ１５３０の印刷依頼情報１５３５に基づき、抽選実施番号１５４８を当該新たな抽選実施番号１５４８とした新たな入稿画像データ１５４５を生成してプリントサービスシステム４に送信し、新たな印刷指示番号１５４７を取得する。サーバシステム１１００は、これらの新たな印刷に係る新たな依頼データ１５３０および新たな印刷データ１５４０を生成し、新たな印刷依頼ＩＤ１５４４と、新たな印刷指示番号１５４７とをユーザ端末２５００に送信する。ユーザ端末２５００では、受信した新たな印刷依頼ＩＤ１５４４と、新たな印刷指示番号１５４７とを受信し、新たな依頼データ２６３０を生成・記憶する。
【０１３４】
なお、ユーザ端末２５００が、当該印刷依頼に係る印刷依頼ＩＤ２６３１（旧印刷依頼ＩＤともいえる）の印刷依頼情報２６４０をコピーして新たな印刷依頼情報２６４０を生成してサーバシステム１１００に印刷依頼を行ってもよく、この場合の以降の処理は図３を参照して説明した処理の通りである。
【０１３５】
また、“予約リスト”の表示において、リスト表示された過去の印刷依頼の一覧の中からユーザ２によって選択された印刷依頼の印刷状況が印刷済で、且つ、対応するコンテンツ画像の使用許可条件を満たし、且つ、サーバシステム１１００に対応する依頼データ１５３０が記憶されている（すなわち待機期限１５４６が到来していない等の削除されていない期間である場合：追加印刷可能条件を満たす）場合に、追加印刷を依頼（指示）するための追加印刷依頼画像を選択可能に表示する。この追加印刷依頼画像に対してユーザ２が選択指示操作をした場合、ユーザ端末２５００は、当該印刷依頼に係る印刷依頼ＩＤ２６３１（旧印刷依頼ＩＤともいえる）を含む追加印刷依頼情報を生成して、サーバシステム１１００に送信し、追加印刷依頼を行う。追加印刷依頼情報には、画像識別情報２６４１や編集情報２６４５を含める必要はない。
【０１３６】
一方、サーバシステム１１００では、追加印刷依頼情報を受信すると、当該追加印刷依頼情報に含まれる印刷依頼ＩＤ（旧印刷依頼ＩＤ）に対応する入稿画像データ１５４５を再度プリントサービスシステム４に送信して新たな印刷指示番号１５４７を取得する。このとき、抽選実施番号１５４８を新たに発行する場合は、印刷依頼ＩＤ（旧印刷依頼ＩＤ）に対応する依頼データ１５３０の印刷依頼情報１５３５に基づき、抽選実施番号１５４８を当該新たな抽選実施番号１５４８とした新たな入稿画像データ１５４５を生成してプリントサービスシステム４に送信し、新たな印刷指示番号１５４７を取得する。サーバシステム１１００は、これらの新たな印刷に係る新たな依頼データ１５３０および新たな印刷データ１５４０を生成し、新たな印刷依頼ＩＤ１５４４と、新たな印刷指示番号１５４７とをユーザ端末２５００に送信する。ユーザ端末２５００では、受信した新たな印刷依頼ＩＤ１５４４と、新たな印刷指示番号１５４７とを受信し、新たな依頼データ２６３０を生成・記憶する。
【０１３７】
なお、ユーザ端末２５００が、当該印刷依頼に係る印刷依頼ＩＤ２６３１（旧印刷依頼ＩＤともいえる）の印刷依頼情報２６４０をコピーして新たな印刷依頼情報２６４０を生成してサーバシステム１１００に印刷依頼を行ってもよく、この場合の以降の処理は図３を参照して説明した処理の通りである。
【０１３８】
また、ユーザ端末２５００が、サーバシステム１１００からエラー情報を受信した場合、受信した印刷依頼ＩＤに対応するデータを再利用不可データとして更新する。
【符号の説明】
【０１３９】
４…プリントサービスシステム
７…会員サイト（抽選システム）
１１００…サーバシステム
１２００…サーバ処理部
１２０３…印刷依頼情報受信部
１２０５…画像読出部
１２０７…抽選実施番号発行部
１２０９…入稿画像データ生成部
１２２１…発注管理部
１２３１…印刷履歴管理部
１２３３…特典付与処理制御部１２３３
１２４１…抽選管理部
１５００…サーバ記憶部
１５０８…管理プログラム
１５３０…依頼データ
１５３５…印刷依頼情報
１５３６…画像識別情報
１５３８…編集情報
１５４０…印刷データ
１５４５…入稿画像データ
１５４６…待機期限
１５４７…印刷指示番号
１５４８…抽選実施番号
１５４９…印刷状況
１５６０…高画質画像ＤＢ
１５７１…ユーザ別印刷依頼記録データ
１５７３…ユーザ別印刷済記録データ
１５７５…ユーザ別抽選状況データ
１５７７…特典付与条件データ
２５００…ユーザ端末
２２００…端末処理部
２２１０…画像印刷依頼処理部
２２２０…会員サイト処理部
２２３１…通知受信制御部
２６００…端末記憶部
２６０１…メインプログラム
２６０３…画像印刷依頼プログラム
２６０５…会員サイト用プログラム
２６３０…依頼データ
２６４０…印刷依頼情報
２５６０…ローカル画像ＤＢ
２５６１…画像使用許否テーブル
２６７１…印刷指示番号データ
【図１】
2017016563.tif 000003
【図２】
2017016563.tif 000004
【図３】
2017016563.tif 000005
【図６】
2017016563.tif 000006
【図７】
2017016563.tif 000007
【図８】
2017016563.tif 000008
【図９】
2017016563.tif 000009
【図１０】
2017016563.tif 000010
【図４】
2017016563.tif 000011
【図５】
2017016563.tif 000012